(57)【要約】【課題】省エネ化を実現しつつ、多様化する購入者のニーズに応えることで商品の販売数増大を図ることができる自動販売機を提供する。【解決手段】庫室（２４）内に収容された商品（４）を予め設定された調温温度帯に加温又は冷却して販売する自動販売機（１）であって、商品が調温温度帯以外の温度である常温状態にあることを表示する常温状態表示部（３６，４０，４６）と、常温状態表示部にて常温状態にあることが表示された商品を販売可能とする制御手段（５０）とを備える。【選択図】図４
2013131124.tif 000002
【特許請求の範囲】
【請求項１】
庫室内に収容された商品を予め設定された調温温度帯に加温又は冷却して販売する自動販売機であって、
前記商品が前記調温温度帯以外の温度である常温状態にあることを表示する常温状態表示部と、
前記常温状態表示部にて常温状態にあることが表示された前記商品を販売可能とする制御手段と
を備えることを特徴とする自動販売機。
【請求項２】
前記庫室内の前記商品が前記調温温度帯の温度であるか否かを判定する判定手段を備え、
前記常温状態表示部は、前記判定手段にて前記庫室内の前記商品が前記調温温度帯の温度でないと判定されたとき、前記商品が常温状態にあることを表示することを特徴とする請求項１に記載の自動販売機。
【請求項３】
前記制御手段は、前記判定手段により前記商品が加温又は冷却によって前記調温温度帯の温度に至る過程にあると判定したとき、前記常温状態表示部にて常温状態にあることが表示された前記商品を販売可能とすることを特徴とする請求項２に記載の自動販売機。
【請求項４】
前記制御手段は、前記判定手段により前記商品が加温又は冷却を行うための調温装置の故障によって前記調温温度帯の温度にないと判定したとき、前記常温状態表示部にて常温状態にあることが表示された前記商品を販売可能とすることを特徴とする請求項２又は３に記載の自動販売機。
【請求項５】
前記庫室内の前記商品が販売中であることを表示すると共に該商品を選択可能な商品選択ボタンを備え、
前記常温状態表示部は、前記商品選択ボタンに設けられることを特徴とする請求項１乃至４の何れかに記載の自動販売機。
【請求項６】
前記庫室内の前記商品の商品温度帯が加温、冷却又は常温状態の何れかであることを表示する商品温度帯表示部を備え、
前記常温状態表示部は、前記商品温度帯表示部に設けられることを特徴とする請求項１乃至５の何れかに記載の自動販売機。
【請求項７】
前記常温状態表示部は、前記庫室内の前記商品の常温状態を文字で表示することを特徴とする請求項５又は６に記載の自動販売機。
【請求項８】
前記常温状態表示部は、前記庫室内の前記商品の常温状態を点灯ランプの色で表示することを特徴とする請求項５乃至７の何れかに記載の自動販売機。
【請求項９】
前記制御手段は、前記常温状態表示部にて常温状態にあることが表示された前記商品を前記調温温度帯の前記商品に比して安価で販売することを特徴とする請求項１乃至８の何れかに記載の自動販売機。
【発明の詳細な説明】
【技術分野】
【０００１】
本発明は自動販売機に関し、特に缶飲料を販売するのに好適な自動販売機に関する。
【背景技術】
【０００２】
この種の自動販売機には、庫室内に収容された缶飲料などの商品を予め設定された所定の販売温度帯に加温又は冷却して販売するものが知られている。
そして、特許文献１には、加温商品に対応する暖色系（例えば赤色）の販売可能ランプと冷却商品に対応する寒色系（例えば青色）の販売可能ランプとを商品選択ボタンのそれぞれに対応して設けた自動販売機が開示されている。
【先行技術文献】
【特許文献】
【０００３】
【特許文献１】特開２００２−１０９６２２号公報
【発明の概要】
【発明が解決しようとする課題】
【０００４】
上記従来の自動販売機では、上述した２個の販売可能ランプを交互に点灯させて準備中表示部として機能させることで、その商品が庫室内に補充されてから所定時間を経過していない調温中（準備中）であるか、売切れであるかを容易に判別することができるようになっている。
上記準備中の商品は商品の購入者が商品選択ボタンを押しても選択することはできず、販売温度帯まで加温又は冷却されるまでは販売しないのが一般的である。商品が想定していたより冷たくない、又は温かくないといった購入者からのクレームを考慮しての措置である。
また、自動販売機が何らかの原因で故障し、商品を調温できなくなった場合、例えば商品の冷却又は加温を行うための調温装置が故障した場合にも、商品の温度は時間経過と共に常温に戻ってしまうため、異常処理を行うことにより商品を販売しないのが一般的である。
【０００５】
一方、スーパーなどの量販店では箱詰めのままで常温状態の缶飲料が販売されていることも珍しくない。購入者が常温商品であることを承知の上で購入し、自宅に持ち帰って冷蔵庫室で冷却したり、或いはカップに注いで電子レンジで温めたりしてから飲用することが一般に行われる。
また、昨今の電気供給事情に鑑みると、調温しない常温商品を自動販売機に設けることで自動販売機全体における節電効果を見込むことができることから、節電指向の購入者が未調温の常温商品をあえて購入することも想定される。
【０００６】
このように、庫室内に補充してから所定時間を経過するまでは未調温商品であるとして一律に準備中の表示を行って販売しなかったり、或いは自動販売機が故障したために調温できないことを理由に商品を販売しないことは、未調温或いは調温過程にある常温商品であっても積極的に購入したいという購入者のニーズに応えておらず、商品の販売機会を損なうおそれがある。
本発明は上述の事情に基づいてなされたもので、その目的とするところは、省エネ化を実現しつつ、多様化する購入者のニーズに応えることで商品の販売数増大を図ることができる自動販売機を提供することにある。
【課題を解決するための手段】
【０００７】
上記の目的を達成するため、本発明の自動販売機は、庫室内に収容された商品を予め設定された調温温度帯に加温又は冷却して販売する自動販売機であって、商品が調温温度帯以外の温度である常温状態にあることを表示する常温状態表示部と、常温状態表示部にて常温状態にあることが表示された商品を販売可能とする制御手段とを備える（請求項１）。
【０００８】
好ましくは、庫室内の商品が調温温度帯の温度であるか否かを判定する判定手段を備え、常温状態表示部は、判定手段にて庫室内の商品が調温温度帯の温度でないと判定されたとき、商品が常温状態にあることを表示する（請求項２）。
好ましくは、制御手段は、前記判定手段により商品が加温又は冷却によって前記調温温度帯の温度に至る過程にあると判定したとき、前記常温状態表示部にて常温状態にあることが表示された前記商品を販売可能とする（請求項３）。
【０００９】
好ましくは、制御手段は、前記判定手段により商品が加温又は冷却を行うための調温装置の故障によって前記調温温度帯の温度にないと判定したとき、前記常温状態表示部にて常温状態にあることが表示された商品を販売可能とする（請求項４）。
好ましくは、庫室内の商品が販売中であることを表示すると共に該商品を選択可能な商品選択ボタンを備え、常温状態表示部は、商品選択ボタンに設けられる（請求項５）。
【００１０】
好ましくは、庫室内の商品の商品温度帯が加温、冷却又は常温状態の何れかであることを表示する商品温度帯表示部を備え、常温状態表示部は、商品温度帯表示部に設けられる（請求項６）。
好ましくは、常温状態表示部は、庫室内の商品の常温状態を文字で表示する（請求項７）。
【００１１】
好ましくは、常温状態表示部は、庫室内の商品の常温状態を点灯ランプの色で表示する（請求項８）。
好ましくは、制御手段は、常温状態表示部にて常温状態にあることが表示された商品を調温温度帯の商品に比して安価で販売する（請求項９）。
【発明の効果】
【００１２】
本発明によれば、商品が調温温度帯以外の温度である常温状態にあることを表示する常温状態表示部と、常温状態表示部にて常温状態にあることが表示された商品を販売可能とする制御手段とを備える。これにより、調温しない庫室内に収容された未調温の常温商品を購入者が選択し、購入することができる。従って、未調温の常温商品を購入したいという購入者のニーズに応えることで、商品の販売機会を拡張することができるため、商品の販売数増大を図ることができる。
【００１３】
しかも、調温しない庫室を設けることにより、自動販売機において節電を図ることができるため、自動販売機全体の省エネ化を実現することができる（請求項１）。
また、本発明によれば、庫室内の商品が調温温度帯の温度であるか否かを判定する判定手段を備え、常温状態表示部は、判定手段にて庫室内の商品が調温温度帯の温度でないと判定されたとき、商品が常温状態にあることを表示する。これにより、調温過程にある商品を常温商品として購入者が選択し、購入することができる。従って、未調温のみならず、調温過程にある商品を購入したいという購入者のニーズに応えることで、商品の販売機会を更に拡張することができるため、商品の更なる販売数増大を図ることができる（請求項２）。
【００１４】
また、本発明によれば、具体的には、制御手段は、前記判定手段により商品が加温又は冷却によって前記調温温度帯の温度に至る過程にあると判定したとき（請求項３）、及び／又は、商品が加温又は冷却を行うための調温装置の故障によって前記調温温度帯の温度にないと判定したとき（請求項４）、前記常温状態表示部にて常温状態にあることが表示された商品を販売可能とすることにより、未調温のみならず、調温過程にある商品を購入したいという購入者のニーズに応えることで、商品の販売機会を更に拡張することができるため、商品の更なる販売数増大を図ることができる。
【００１５】
また、本発明によれば、常温状態表示部を商品選択ボタン又は商品温度帯表示部に設け、常温状態を文字又は点灯ランプの色で表示する。これにより、商品を選択する購入者に対して常温状態表示部の視認性を高め、商品が常温であることを効果的に示すことができる。従って、購入者による常温商品の購入間違いを抑制しながら、常温商品の販売促進を図ることができるため、商品の更なる販売数増大を図ることができる（請求項３〜６）。
【００１６】
また、本発明によれば、制御手段は、常温状態表示部にて常温状態にあることが表示された商品を調温温度帯の商品よりも安価で販売することにより、常温商品に対する購入者の購買意欲を高めることができるため、商品の更なる販売数増大を図ることができる（請求項７）。
【図面の簡単な説明】
【００１７】
【図１】本発明の一実施形態に係る自動販売機の全体斜視図である。
【図２】図１の自動販売機の前面扉を開けた状態を示す斜視図である。
【図３】図１の自動販売機の商品選択ボタン及び商品情報表示部の正面図である。
【図４】図１の自動販売機に格納された制御部において実行される制御のブロック図である。
【図５】予め設定された冷却販売温度帯まで冷却された調温済みの冷却商品を販売する場合の商品選択ボタン及び商品情報表示部の状態を示す正面図である。
【図６】冷却商品を冷却しないで未調温のまま常温商品として販売する場合の商品選択ボタン及び商品情報表示部の状態を示す正面図である。
【図７】冷却商品を冷却過程にある状態で常温商品として販売する場合の商品選択ボタン及び商品情報表示部の状態を示す正面図である。
【図８】図７の変形例における商品選択ボタン及び商品情報表示部の状態を示す正面図である。
【図９】図７の別の変形例における商品選択ボタン及び商品情報表示部の状態を示す正面図である。
【図１０】図７の更に別の変形例における商品選択ボタン及び商品情報表示部の状態を示す正面図である。
【発明を実施するための形態】
【００１８】
以下に本発明の一実施形態に係る自動販売機について図面を参照して説明する。
図１は当該自動販売機１の全体斜視図を示す。自動販売機１には前面扉２が取り付けられ、前面扉２の上部側には、缶飲料などの商品４を購入する購入者が購入時に正対する接客面６が形成されている。接客面６の内側には、各商品４に対応する商品見本８が展示され、接客面６における各商品見本８の下方には、各商品見本８に対応する商品選択ボタン１０及び商品情報表示部（商品温度帯表示部）１２がそれぞれ設けられている。
【００１９】
また、前面扉２の中間部には、商品４の料金を投入するための料金投入部１４、料金を返金させるための返金レバー１６、投入金額を表示するための投入金額表示部１８などが設けられている。また、前面扉２の下部側には、商品４が払い出される商品取出口２０、釣り銭が払い出される釣り銭取出口２２などが設けられている。
図２は自動販売機１の前面扉２を開けた状態を示す斜視図を示す。
【００２０】
自動販売機１は、同種の商品４が収納される商品収納庫室（庫室）２４を複数備えている。前面扉２の内側には、各商品収納部２４の商品補充口２６を含む開口部全体を開閉する内扉２８が取り付けられている。前面扉２の裏面２ｂには自動販売機１の各種設定を行ったり、当該設定状態を表示したりする表示部３０と、入力キー３２とを備えた表示入力設定部３４が設けられている。
【００２１】
図３は自動販売機１の商品選択ボタン１０及び商品情報表示部１２の正面図を示す。各商品選択ボタン１０は、商品見本８に対応する商品４に関する情報庫室を表示すると共に購入者が押すことで該商品４を選択可能に構成されている。
具体的には、商品選択ボタン１０には、商品見本８に対応する商品４庫室が販売可能であるか否かを点灯により示すと共に商品４の温度帯を色で表示する商品温度帯表示ランプ（常温状態表示部）３６と、商品収納庫室２４に商品４が無い売切れ状態を表示する売切表示ランプ３８と、商品４が予め設定された調温温度帯以外の温度である常温状態にある常温商品であることを表示する常温状態表示ランプ（常温状態表示部）４０とが内蔵されている。
【００２２】
商品温度帯表示ランプ３６には、例えば３色（赤、緑、青）ＬＥＤなどが内蔵され、加温商品は赤、冷却商品は青、常温商品は緑、というように商品４の温度に対応した色が表示される。
各商品選択ボタン１０における売切表示ランプ３８に対応する個所には「売切」、常温状態表示ランプ４０に対応する個所には「常温」、といった文字表示がなされ、各ランプ３８，４０の点灯によりこれらの文字が視認可能に構成されている。
【００２３】
一方、商品情報表示部１２は、商品収納庫室２４内の商品４の温度帯が加温、冷却又は常温状態の何れかであることを表示すると共に商品４の販売価格を表示するように構成されている。
具体的には、商品情報表示部１２には、商品４が加温商品であることを表示する加温商品表示ランプ４２と、商品４が冷却商品であることを表示する冷却商品表示ランプ４４と、商品４が常温商品であることを表示する常温商品表示ランプ（常温状態表示部）４６と、商品４の販売価格を表示する販売価格表示部４８とが内蔵されている。
【００２４】
加温商品表示ランプ４２に対応する個所には「あたたか〜い」、冷却商品表示ランプ４４に対応する個所には「つめた〜い」、常温商品表示ランプ４６に対応する個所には「常温」、といった文字表示がなされ、各ランプ４２，４４，４６の点灯によりこれらの文字が視認可能である。また、販売価格表示部４８には商品４の種類、容量、及び温度帯などに対応した価格が表示されるように構成されている。
【００２５】
なお、商品情報表示部１２に例えば液晶ディスプレイを使用することで、商品４の温度帯に対応した文字が切り替えて表示され、該商品温度帯に対応した販売価格が表示されるようにしても良い。
図４は自動販売機１に格納された制御部（制御手段）５０において実行される自動販売機１の制御のブロック図を示す。
【００２６】
各商品収納庫室２４には、商品収納庫室２４における商品４の売切れ状態を検出する売切スイッチ５２と、商品収納庫室２４に収容された商品４の商品温度を判定する商品温度判定部（判定手段）５４とが設けられている。
商品温度判定部５４は、商品収納庫室２４の庫室内温度を直接に検出することで商品温度を判定する温度センサ、或いは、商品収納庫室２４に商品４が補充されてからの経過時間を測定することで商品温度を判定するタイマなどから構成されている。
【００２７】
そして、制御部５０には、少なくとも、商品選択ボタン１０及びそれを構成する各ランプ３６，３８，４０と、商品情報表示部１２及びそれを構成する各ランプ４２，４４，４６並びに販売表示部４８と、投入金額表示部１８と、表示入力設定部３４と、売切スイッチ５２と、商品温度判定部５４とが電気的に接続されている。
このように構成された制御部５０では、加温又は冷却の調温温度帯が予め所定の温度範囲で設定されており、各商品収納庫室２４のうちの調温用の商品収納庫室２４内に収容された商品４は予め設定された上記調温温度帯まで調温される。そして、制御部５０は、購入者が料金投入部１４へ料金を投入することで投入金額表示部１８に投入料金を表示し、次に購入者が商品選択ボタン１０を押すことで商品収納庫室２４への補充順に商品収納庫室２４から商品取出口２０に商品４を払い出す。
【００２８】
図５の商品選択ボタン１０及び商品情報表示部１２の正面図を参照すると、予め設定された調温温度帯、例えば冷却販売温度帯まで冷却された調温済みの冷却商品を販売する通常の場合には、制御部５０は、商品温度判定部５４において当該冷却商品が冷却販売温度帯の温度まで調温されたか否かを判定する。
商品温度判定部５４において当該冷却商品が冷却販売温度帯の温度まで調温されたと判定された場合には、制御部５０は、商品選択ボタン１０においては、商品温度帯表示ランプ３６を青色に点灯し、売切表示ランプ３８及び常温状態表示ランプ４０は消灯する。また、制御部５０は、商品情報表示部１２においては、冷却商品表示ランプ４４のみを点灯し、商品情報表示部１２における他の各ランプ４２，４６は消灯し、販売価格表示部４８には当該冷却商品の正規の販売価格（例えば￥１２０）を表示して販売する。
【００２９】
ここで本実施形態の自動販売機１では、各商品収納庫室２４に調温しない商品収納庫室２４が少なくとも１つ設けられ、制御部５０は、当該商品収納庫室２４内に収容された商品４を未調温の常温商品として販売可能としている。
図６の商品選択ボタン１０及び商品情報表示部１２の正面図を参照すると、冷却商品を冷却しないで未調温のまま常温商品として販売する場合には、制御部５０は、商品選択ボタン１０においては、商品温度帯表示ランプ３６を緑色に点灯し、売切表示ランプ３８は消灯し、常温状態表示ランプ４０は点灯する。また、制御部５０は、商品情報表示部１２においては、常温商品表示ランプ４６のみを点灯し、商品情報表示部１２における他の各ランプ４２，４４は消灯し、販売価格表示部４８には、当該冷却商品の正規の販売価格（例えば￥１２０）に比して安価な割引価格（例えば￥１００）を表示して販売する。
【００３０】
更に本実施形態の自動販売機１では、制御部５０は、調温用の商品収納庫室２４内に収容された調温過程にある商品も常温商品として販売可能としている。
図７の商品選択ボタン１０及び商品情報表示部１２の正面図を参照すると、冷却商品を冷却過程にある状態で常温商品として販売する場合には、制御部５０は、商品温度判定部５４において当該冷却商品が冷却販売温度帯の温度まで調温されたか否かを判定する。
【００３１】
商品温度判定部５４において当該冷却商品が冷却販売温度帯の温度まで調温されていないと判定された場合には、制御部５０は、商品選択ボタン１０においては、商品温度帯表示ランプ３６を青色に点灯し、売切表示ランプ３８は消灯し、常温状態表示ランプ４０は点灯する。また、制御部５０は、商品情報表示部１２においては、冷却商品表示ランプ４４のみを点灯し、商品情報表示部１２における他の各ランプ４２，４６は消灯する。
【００３２】
商品温度帯表示ランプ３６を青色に点灯し、商品情報表示部１２において冷却商品表示ランプ４４のみを点灯することで、商品４が冷却過程にある冷却商品であり、冷却販売温度帯に近い低温を帯びていることが購入者に示される。
また、制御部５０は、販売価格表示部４８には、当該冷却商品が冷却販売温度帯の温度範囲に冷却されておらず、あくまでも冷却過程にあることから、当該冷却商品の正規の販売価格（例えば￥１２０）に比して安価な割引価格（例えば￥１００）を表示して販売する。
【００３３】
図７の冷却過程の状態から、所定時間が経過して冷却商品の本来の冷却販売温度帯まで冷却が完了すると、制御部５０は、図５と同じ状態にするべく、商品選択ボタン１０においては、商品温度帯表示ランプ３６を緑色の場合には青色に切り替えて点灯し、常温状態表示ランプ４０は消灯する。また、制御部５０は、商品情報表示部１２においては、常温商品表示ランプ４６が点灯している場合には消灯して冷却商品表示ランプ４４のみを点灯し、販売価格表示部４８には当該冷却商品の正規の販売価格（例えば￥１２０）を表示して販売する。このようにすることで、冷却が完了するのを待ってから購入したい購入者のニーズにも応えることが可能となる。
【００３４】
以上のように本実施形態の自動販売機１は、商品４が調温温度帯以外の温度である常温状態にあることを商品温度帯表示ランプ３６、常温状態表示ランプ４０、常温商品表示ランプ４６で表示し、制御部５０により当該商品を販売可能とすることにより、調温しない商品収納庫室２４内に収容された未調温の常温商品を購入者が選択し、購入することができる。従って、未調温の常温商品を購入したいという購入者のニーズに応えることで、商品４の販売機会を拡張することができるため、商品４の販売数増大を図ることができる。
【００３５】
しかも、調温しない商品収納庫室２４を設けることにより、自動販売機１において節電を図ることができるため、自動販売機１全体の省エネ化を実現することができる。
また、商品温度判定部５４にて商品収納庫室２４内の商品４が調温温度帯の温度でないと判定されたとき、商品温度帯表示ランプ３６、常温状態表示ランプ４０、常温商品表示ランプ４６で商品４が常温状態にあることを表示することにより、商品４が冷却又は加温状態に至る調温過程にある場合や、商品４の冷却又は加温を行うための図示しない調温装置が故障した場合であっても、商品４を常温商品として購入者が選択し、購入することができる。従って、未調温のみならず、調温過程にある商品４を購入したいという購入者のニーズに応えることで、商品４の販売機会を更に拡張することができるため、商品４の更なる販売数増大を図ることができる。
【００３６】
また、商品温度帯表示ランプ３６、常温状態表示ランプ４０、常温商品表示ランプ４６で商品４の常温状態を文字又は点灯ランプの色で表示することにより、商品４を選択する購入者に対してこれら各ランプ３６，４０，４６の視認性を高め、商品４が常温であることを効果的に示すことができる。従って、購入者による常温商品の購入間違いを抑制しながら、常温商品の販売促進を図ることができるため、商品４の更なる販売数増大を図ることができる。
【００３７】
また、未調温又は調温過程にある常温商品の販売価格表示部４８に、調温済みの調温温度帯にある商品４よりも安価な割引価格を表示し、制御部５０が当該割引価格で常温商品を販売可能とすることにより、常温商品に対する購入者の購買意欲を高めることができるため、商品４の更なる販売数増大を図ることができる。
本発明は、上述の実施形態に制約されるものではなく種々の変形が可能である。
【００３８】
例えば、上記実施形態では、冷却商品を冷却過程にある状態で常温商品として販売する場合には、商品４があくまでも冷却商品であり、冷却過程にあることを購入者に示すために、商品温度帯表示ランプ３６を冷却状態を示す青色に点灯し、商品情報表示部１２において冷却商品表示ランプ４４のみを点灯する。しかし、これに限らず、商品４が冷却過程にあることを購入者に示すことができるのであれば、例えば図８に示すように、商品温度帯表示ランプ３６を緑色に点灯しても良いし、また、図９に示すように、商品情報表示部１２において常温商品表示ランプ４６のみを点灯しても良いし、或いは、図１０に示すように、冷却商品表示ランプ４４及び常温商品表示ランプ４６の両方を点灯した上で、商品温度帯表示ランプ３６を紫色などに点灯しても良い。
【００３９】
また、上記実施形態では、自動販売機１が何らかの原因で故障し、商品４の調温ができなくなった場合であっても、商品温度判定部５４にて商品収納庫室２４内の商品４が調温温度帯の温度でないと判定されたときには、各ランプ３６、４０、４６で商品４が常温状態にあることを表示し、商品４を常温商品として購入者が選択し、購入することができるようにしても良い。また、故障中の自動販売機１において常温商品の販売を可能とするトリガー信号には、商品温度判定部５４による判定結果に限らず、自動販売機１の故障信号を直接用いるようにしても良い。
【符号の説明】
【００４０】
１    自動販売機
４    商品
１０    商品選択ボタン
１２    商品情報表示部（商品温度帯表示部）
２４    商品収納庫室（庫室）
３６    商品温度帯表示ランプ（常温状態表示部）
４０    常温状態表示ランプ（常温状態表示部）
４６    常温商品表示ランプ（常温状態表示部）
５０    制御部（制御手段）
５４    商品温度判定部（判定手段）
【図１】
2013131124.tif 000003
【図２】
2013131124.tif 000004
【図３】
2013131124.tif 000005
【図４】
2013131124.tif 000006
【図５】
2013131124.tif 000007
【図６】
2013131124.tif 000008
【図７】
2013131124.tif 000009
【図８】
2013131124.tif 000010
【図９】
2013131124.tif 000011
【図１０】
2013131124.tif 000012